(57)【要約】【課題】交換ユニットの交換作業の負担を減少させ、交換作業を容易なものにすることができるようにした取付用台を提供する。【解決手段】取付用台（１１０）は、交換ユニット（２）をその上面に載置するための台部（１２０）と、台部（１２０）から下方に延びて台部（１２０）を支持するための脚部（１３０）と、脚部（１３０）の下に位置する車輪が回転することにより取付用台（１１０）の全体を移動させることが可能なキャスター部（１４０）とを備え、台部（１２０）の上面には、スロットマシン（Ｓ）に向かって延設されて、交換ユニット（２）をスライドさせることにより、スロットマシン（Ｓ）の開口内部（１１）に案内可能な案内路（１２１）を備えたことを特徴とする。【選択図】　　図１
2004025338.tif 000002
【特許請求の範囲】
【請求項１】
スロットマシンの開口内部に設置する少なくとも一つの部品からなる交換ユニットを、スロットマシンの開口内部に取り付ける際、前記交換ユニットをスロットマシンの開口内部に移動させて取り付けるための取付用台であって、
前記取付用台は、
前記交換ユニットをその上面に載置するための台部と、
前記台部から下方に延びて台部を支持するための脚部と、
前記脚部の下に位置する車輪が回転することにより取付用台の全体を移動させることが可能なキャスター部とを備え、
前記台部の上面には、スロットマシンに向かって延設されて、前記交換ユニットをスライドさせることにより、前記スロットマシンの開口内部に案内可能な案内路を備えたことを特徴とする取付用台。
【請求項２】
前記案内路は、スロットマシンの開口内部に向かって下り傾斜となるように形成されていることを特徴とする請求項１記載の取付用台。
【請求項３】
前記案内路は、前記台部の上面に、前記交換ユニットを送り出す方向に向かって平行に渡された少なくとも二本のガイドレールからなることを特徴とする請求項１又は請求項２記載の取付用台。
【請求項４】
前記案内路は、前記台部の上面に、前記交換ユニットを送り出す方向に向かって直角方向に平行に渡された複数の回転可能な搬送ローラーからなることを特徴とする請求項１又は請求項２記載の取付用台。
【請求項５】
前記案内路及び前記台部は、スロットマシンの開口内部に向かって突出する突出部を備え、
前記突出部には、その前記突出部からスロットマシンを載置している島固定台まで下方に延びて、突出部を支持するための突出部用支持部が形成されていることを特徴とする請求項１乃至４のいずれか１項に記載の取付用台。
【請求項６】
前記脚部及び前記突出部用支持部は、上下方向に伸縮可能な伸縮手段を備えていることを特徴とする請求項５に記載の取付用台。
【請求項７】
前記脚部は、
前記台部の前記交換ユニットを送り出す方向に向かって、右側を支持するための少なくとも２本の右側脚部と、
前記台部の前記交換ユニットを送り出す方向に向かって、左側を支持するための少なくとも２本の左側脚部とを備え、
前記右側脚部と、前記左側脚部との間には、前後方向に連通する連通空間部を形成したことを特徴とする請求項１乃至６のいずれか１項に記載の取付用台。
【請求項８】
前記案内路の途中には、台部に固定されるとともに案内路の上方に突出して前記交換ユニットに当接することにより、前記交換ユニットの移動を阻止するための着脱可能なストッパーを設けたことを特徴とする請求項２に記載の取付用台。
【請求項９】
前記搬送ローラーのうち、前記スロットマシン側に配置される少なくとも一つは、その回転の摩擦抵抗が、他の前記搬送ローラーの摩擦抵抗よりも大きくなるような回転抵抗増大手段を備えたことを特徴とする請求項４記載の取付用台。
【請求項１０】
前記脚部及び前記突出部用指示部と、前記台部との間には、両者の接合角度を変更可能な回転接合手段を備えていることを特徴とする請求項５記載の取付用台。
【請求項１１】
前記脚部は、前後方向に伸縮可能な前後伸縮手段を備えていることを特徴とする請求項１乃至１０のいずれか１項に記載の取付用台。
【発明の詳細な説明】
【０００１】
【発明の属する技術分野】
この発明は、スロットマシンの開口内部に設置する少なくとも一つの部品からなる交換ユニットを、スロットマシンの開口内部に取り付ける際、前記交換ユニットをスロットマシンの開口内部に移動させて取り付けるための取付用台に関するものである。
【０００２】
【従来の技術】
従来のスロットマシンは、正面側に開口する筺形の本体キャビネットと、本体キャビネットの開口部を開閉自在に塞ぐ前扉とから成り、本体キャビネットの内部に、リールユニット、ホッパーユニット、遊技を司る制御回路基板等が固定設置され、全体が構成されていた。このような、従来のスロットマシンにおいては、遊技内容を変更する際には本体キャビネット、前扉、リールユニット、ホッパーユニット等のスロットマシン全体をまるごと交換しなければならなかった。しかし、遊技内容を変更するための台交換の際、遊技を担当しないホッパーユニット等も同時に交換されることとなり、交換に要する費用がかかるだけでなく、資源の無駄になっていたという問題点があった。かかる問題点を解決するため、近年、スロットマシンを、遊技性に関わる部分と、遊技性に直接関わらない部分とに分け、このうち遊技性に関わる部分、すなわちリールユニット及び主制御回路基板からなる交換ユニットを交換することにより、全体を交換することなく、新しいスロットマシンで遊技しているかのような印象を与えることができる分離型のスロットマシンの開発が進められている。
【０００３】
そして、かかる交換ユニットを交換することにより、遊技内容を変更することができる分離型のスロットマシンでは、従来のスロットマシン全体を一体とした台交換の代わりに、スロットマシンの内部の部品の組合せからなる交換ユニットの交換作業が必要となってくる。かかる交換ユニットの交換作業では、リールユニット等の重量のある部品を有する交換ユニットを、交換作業者が手で持ち上げて脱着しなければならない。すなわち、スロットマシンの本体キャビネット内部から交換ユニットを取り外す場合には、内部に作業者が手を差し込んで、持ち上げながら引き出さなければならない。また、交換ユニットを取り付ける場合には、作業者が交換ユニットを手で持ち上げて、交換ユニットの取付位置と整合するように、その高さ等の取付位置を調整しながら、スロットマシンの内部に交換ユニットを運び入れる必要がある。
【０００４】
【発明が解決しようとする課題】
しかし、かかる交換作業は、遊技者が、リールユニット等の重量のある部品からなる交換ユニットを、自らの手で持ち上げながら、脱着作業を行わなければならず、特に、交換ユニットをスロットマシンの本体キャビネット内部に取り付ける場合には、交換ユニットを手で持った状態で、正確な取付位置を微調整する必要があるため、交換作業をする者にとって、負担のかかる作業になるといった問題点があった。
【０００５】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する問題点に鑑みてなされたものであり、その目的とするところは、交換ユニットの交換作業の負担を減少させ、交換作業を容易なものにすることができるようにした取付用台を提供しようとするものである。
【０００６】
（請求項２）
請求項２記載の発明は、上記した請求項１記載の発明の目的に加え、次の点を目的とする。
すなわち、請求項２記載の発明は、交換ユニットを取り付ける際、僅かな力で交換ユニットを移動させることができて、交換ユニットの取付作業を容易なものにすることができるようにした取付用台を提供しようとするものである。
【０００７】
（請求項３）
請求項３記載の発明は、上記した請求項１又は請求項２記載の発明の目的に加え、次の点を目的とする。
すなわち、請求項３記載の発明は、交換ユニットをガイドレールの上面に安定した状態でスライドさせることができるようにした取付用台を提供しようとするものである。
【０００８】
（請求項４）
請求項４記載の発明は、上記した請求項１又は請求項２に記載の発明の目的に加え、次の点を目的とする。
すなわち、請求項４記載の発明は、摩擦抵抗を抑えることができて、僅かな力でスムーズに交換ユニットを取付用台とスロットマシンの開口内部との間で搬送することができるようにした取付用台を提供しようとするものである。
【０００９】
（請求項５）
請求項５記載の発明は、上記した請求項１乃至４のいずれか１項に記載の発明の目的に加え、次の点を目的とする。
すなわち、請求項５記載の発明は、スロットマシンの開口内部にまで連続して交換ユニットをスライドさせることができるとともに、突出部の変形を抑え、安定した状態で、交換ユニットをスライドさせることができるようにした取付用台を提供しようとするものである。
【００１０】
（請求項６）
請求項６記載の発明は、上記した請求項５に記載の発明の目的に加え、次の点を目的とする。
すなわち、請求項６記載の発明は、交換ユニットの取付位置が上下方向に異なる場合にも対応することができるようにした取付用台を提供しようとするものである。
【００１１】
（請求項７）
請求項７記載の発明は、上記した請求項１乃至６のいずれか１項に記載の発明の目的に加え、次の点を目的とする。
すなわち、請求項７記載の発明は、椅子等の障害物に影響されることなく、取付用台の移動を自由なものにすることができるようにした取付用台を提供しようとするものである。
【００１２】
（請求項８）
請求項８記載の発明は、上記した請求項２に記載の発明の目的に加え、次の点を目的とする。
すなわち、請求項８記載の発明は、下り傾斜の案内路の上に載置した交換ユニットが誤って移動して滑り落ちることを防止することができるようにした取付用台を提供しようとするものである
（請求項９）
請求項９記載の発明は、上記した請求項４に記載の発明の目的に加え、次の点を目的とする。
【００１３】
すなわち、請求項９記載の発明は、交換ユニットの移動速度をスロットマシン（Ｓ）側で低下させることができ、交換ユニットの取付作業を安全且つ確実なものにすることができるようにした取付用台を提供しようとするものである
（請求項１０）
請求項１０記載の発明は、上記した請求項５に記載の発明の目的に加え、次の点を目的とする。
【００１４】
すなわち、請求項１０記載の発明は、取り回しを容易にし、収納性を高めることができるようにした取付用台を提供しようとするものである
（請求項１１）
請求項１１記載の発明は、上記した請求項１乃至１０のいずれか１項に記載の発明の目的に加え、次の点を目的とする。
【００１５】
すなわち、請求項１１記載の発明は、取り回しを容易にし、収納性を高めることができるようにした取付用台を提供しようとするものである
【００１６】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００１７】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００１８】
すなわち、本発明に係る取付用台（１１０）は、スロットマシン（Ｓ）の開口内部（１１）に設置する少なくとも一つの部品からなる交換ユニット（２）を、スロットマシン（Ｓ）の開口内部（１１）に取り付ける際、前記交換ユニット（２）をスロットマシン（Ｓ）の開口内部（１１）に移動させて取り付けるためのものである。
そして、前記取付用台（１１０）は、前記交換ユニット（２）をその上面に載置するための台部（１２０）と、前記台部（１２０）から下方に延びて台部（１２０）を支持するための脚部（１３０）と、前記脚部（１３０）の下に位置する車輪が回転することにより取付用台（１１０）の全体を移動させることが可能なキャスター部（１４０）とを備えている。
【００１９】
そして、前記台部（１２０）の上面には、スロットマシン（Ｓ）に向かって延設されて、前記交換ユニット（２）をスライドさせることにより、前記スロットマシン（Ｓ）の開口内部（１１）に案内可能な案内路（１２１）を備えたことを特徴とする。
なお、ここで、「スロットマシン（Ｓ）」とは、具体的には、例えば、正面側に開口する筐形の本体キャビネット（１）と、前記本体キャビネット（１）の開口内部を開閉自在に塞ぐ前扉（３）と、複数の図柄が表示された回転リール（２３）及びこの回転リール（２３）を回転させるための駆動モータを有するリールユニット（２２）と、遊技メダルを払い出すためのホッパーユニット（５）と、前記回転リール（２３）及びホッパーユニット（５）の作動を制御するための主制御回路基板（２５）と、電源ユニット（４）とを少なくとも備えたものを含むものである。
【００２０】
また、ここで、スロットマシン（Ｓ）の開口内部（１１）とは、具体的には、例えば、図１０に示すような、スロットマシン（Ｓ）に用いる本体キャビネット（１）の箱状に開口する開口内部（１１）のようなものである。
また、ここで、「スロットマシン（Ｓ）の内部に設置する少なくとも一つの部品からなる交換ユニット（２）」とは、上述した回転リール（２３）等のスロットマシン（Ｓ）の開口内部（１１）に設置する少なくとも一つの部品からなるものであって、具体的には、例えば、交換ユニット（２）は、本体キャビネット（１）に固定可能な支持体（２１）に少なくとも前記リールユニット（２２）及び前記主制御回路基板（２５）を設置しているようなものを含むものである。
【００２１】
また、ここで、案内路（１２１）は、表面の摩擦抵抗が小さな滑面を有するガイドレールを開口内部（１１）に向かって設けたものや、円柱状の回転可能な搬送ローラー（１２３）を開口内部（１１）に向かって敷き詰めたものや、自由に回転可能な球体が上面に露出したベアリング状のものを開口内部（１１）に向かって敷き詰めたもの等を含むものである。
【００２２】
（作用）
本発明は、台部（１２０）の上面の案内路（１２１）に沿って、交換ユニット（２）をスライドさせることにより、交換ユニット（２）をスロットマシン（Ｓ）の開口内部に案内する。これにより、交換ユニット（２）の交換作業の際、交換ユニット（２）を手で持ち上げた状態で、スロットマシン（Ｓ）の内部から引き出したり、或いは、交換ユニットを手で持った状態で、スロットマシン（Ｓ）の内部に運び込む作業の労力を軽減させることができる。
【００２３】
また、予め調整した位置に案内路を設定することにより、交換ユニット（２）をスロットマシン（Ｓ）の内部に取り付ける際、正確な取付位置を微調整しながら内部に取り付ける必要がなく、交換作業をする者にとって、負担を減少させ、交換作業を容易なものにすることができる。
（請求項２）
請求項２記載の発明は、上記した請求項１記載の発明の特徴点に加え、次の点を特徴とする。
【００２４】
すなわち、前記案内路（１２１）は、スロットマシン（Ｓ）の開口内部（１１）に向かって下り傾斜となるように形成されていることを特徴とする。
（作用）
本発明は、案内路（１２１）が下り傾斜となっているため、交換ユニット（２）を取り付ける際、案内路（１２１）に沿って交換ユニット（２）を徐々に滑り落としながら、交換ユニット（２）をスロットマシン（Ｓ）の開口内部に差し込むことができる。これにより、交換ユニット（２）を取り付ける際、僅かな力で交換ユニット（２）を移動させることができて、交換ユニット（２）の取付作業を容易なものにすることができる。
【００２５】
（請求項３）
請求項３記載の発明は、上記した請求項１又は請求項２記載の発明の特徴点に加え、次の点を特徴とする。
すなわち、前記案内路（１２１）は、前記台部（１２０）の上面に、前記交換ユニット（２）を送り出す方向に向かって平行に渡された少なくとも二本のガイドレール（１２２）からなることを特徴とする。
【００２６】
（作用）
本発明は、台部（１２０）の上面に、交換ユニット（２）を送り出す方向に向かって渡されたガイドレール（１２２）に沿って、交換ユニット（２）をスライドさせることにより、交換ユニット（２）をスロットマシン（Ｓ）の開口内部に案内する。そして、このガイドレール（１２２）は、平行に渡された少なくとも２本のものからなるため、交換ユニット（２）をガイドレール（１２２）の上面に安定した状態でスライドさせることができる。
【００２７】
（請求項４）
請求項４記載の発明は、上記した請求項１又は請求項２に記載の発明の特徴点に加え、次の点を特徴とする。
すなわち、前記案内路（１２１）は、前記台部（１２０）の上面に、前記交換ユニット（２）を送り出す方向に向かって直角方向に平行に渡された複数の回転可能な搬送ローラー（１２３）からなることを特徴とする。
【００２８】
なお、ここで、搬送ローラー（１２３）は、具体的には、例えば、全体形状が円柱状であって、その両端を回転可能な軸受けベアリングにより軸支されているようなものを含むものである。
（作用）
本発明は、台部（１２０）の上面に、交換ユニット（２）を送り出す方向に向かって直角方向に平行に渡された複数の搬送ローラー（１２３）の上に交換ユニット（２）を載置して、交換ユニット（２）を押す又は引っ張ることにより、搬送ローラー（１２３）を回転させて、交換ユニット（２）を搬送ローラー（１２３）上をスライドさせることができる。このため、交換ユニット（２）を搬送ローラー（１２３）からなる案内路（１２１）に沿ってスロットマシン（Ｓ）の開口内部に案内することができる。そして、この搬送ローラー（１２３）は、交換ユニット（２）を送り出す方向に向かって直角方向に平行に渡された複数からなり、回転可能であるため、交換ユニット（２）と搬送ローラー（１２３）との間の摩擦抵抗を抑えることができ、僅かな力でスムーズに交換ユニット（２）を、取付用台（１１０）とスロットマシン（Ｓ）の開口内部との間で搬送することができる。
【００２９】
（請求項５）
請求項５記載の発明は、上記した請求項１乃至４のいずれか１項に記載の発明の特徴点に加え、次の点を特徴とする。
すなわち、前記案内路（１２１）及び前記台部（１２０）は、スロットマシン（Ｓ）の開口内部（１１）に向かって突出する突出部（１５０）を備えている。
【００３０】
そして、前記突出部（１５０）には、その前記突出部（１５０）からスロットマシン（Ｓ）を載置している島固定台（１０５）まで下方に延びて、突出部（１５０）を支持するための突出部用支持部（１５１）が形成されていることを特徴とする。
（作用）
本発明は、突出部（１５０）を設けたことにより、スロットマシン（Ｓ）の開口内部にまで連続して交換ユニット（２）をスライドさせることができる。
【００３１】
そして、突出部（１５０）の下方には、島固定台（１０５）まで延びた突出部用支持部（１５１）が形成されているため、突出部（１５０）の上に交換ユニット（２）が載って、突出部（１５０）の下方に向かって重量が加わっても、突出部（１５０）の変形を抑え、安定した状態で、交換ユニット（２）をスライドさせることができる。
（請求項６）
請求項６記載の発明は、上記した請求項５に記載の発明の特徴点に加え、次の点を特徴とする。
【００３２】
すなわち、前記脚部（１３０）及び前記突出部用支持部（１５１）は、上下方向に伸縮可能な伸縮手段（１７０）を備えていることを特徴とする。
なお、ここで、「上下方向に伸縮可能な伸縮手段（１７０）」とは、脚部（１３０）及び突出部用支持部（１５１）の長尺方向の全体の長さを変更可能とすることにより、上下方向に伸縮可能なものを意味するものである。具体的には、伸縮手段（１７０）は、脚部（１３０）が、円筒状の外側円筒部材（１７２）と、この外側円筒部材（１７２）の円筒内部に差し込み可能な棒状の内側伸縮部材（１７１）と、この両者を固定することができる固定ねじ（１７３）とを備えているようなものを含むものである。
【００３３】
（作用）
本発明は、脚部（１３０）及び突出部用支持部（１５１）を上下方向に伸縮することにより、台部（１２０）及び突出部（１５０）の高さ方向の位置を自由に調整することができる。これにより、ホールの構造の違いにより、また、スロットマシン（Ｓ）の機種変更に伴う寸法の違いにより、交換ユニット（２）の取付位置が上下方向に異なる場合にも対応することができる。
【００３４】
（請求項７）
請求項７記載の発明は、上記した請求項１乃至６のいずれか１項に記載の発明の特徴点に加え、次の点を特徴とする。
すなわち、前記脚部（１３０）は、前記台部（１２０）の前記交換ユニット（２）を送り出す方向に向かって、右側を支持するための少なくとも２本の右側脚部（１３１）と、前記台部（１２０）の前記交換ユニット（２）を送り出す方向に向かって、左側を支持するための少なくとも２本の左側脚部（１３２）とを備えている。
【００３５】
そして、前記右側脚部（１３１）と、前記左側脚部（１３２）との間には、前後方向に連通する連通空間部（１３３）を形成したことを特徴とする。
（作用）
本発明は、連通空間部（１３３）を形成したことにより、スロットマシン（Ｓ）の前に設けた椅子等の障害物を連通空間部（１３３）に通すことが可能となる。このため、椅子等の障害物がスロットマシン（Ｓ）の前面側に固定されていても、交換作業の際、取付用台（１１０）をスロットマシン（Ｓ）の前面側に当接するまで、接近させることができる。これにより、椅子等の障害物に影響されることなく、取付用台（１１０）の移動を自由なものにすることができる。
【００３６】
（請求項８）
請求項８記載の発明は、上記した請求項２に記載の発明の特徴点に加え、次の点を特徴とする。
すなわち、前記案内路（１２１）の途中には、台部（１２０）に固定されるとともに案内路（１２１）の上方に突出して前記交換ユニット（２）に当接することにより、前記交換ユニット（２）の移動を阻止するための着脱可能なストッパー（１６０）を設けたことを特徴とする。
【００３７】
（作用）
本発明は、案内路（１２１）の途中にストッパー（１６０）を設けたことにより、下り傾斜の案内路（１２１）の上に載置した交換ユニット（２）が誤って移動して滑り落ちることを防止することができる。
（請求項９）
請求項９記載の発明は、上記した請求項４に記載の発明の特徴点に加え、次の点を特徴とする。
【００３８】
すなわち、前記搬送ローラー（１２３）のうち、前記スロットマシン（Ｓ）側に配置される少なくとも一つは、その回転の摩擦抵抗が、他の前記搬送ローラー（１２３）の摩擦抵抗よりも大きくなるような回転抵抗増大手段（１８５）を備えたことを特徴とする。
（作用）
本発明は、搬送ローラー（１２３）のうち、スロットマシン（Ｓ）側に配置される少なくとも一つは、回転抵抗増大手段（１８５）により、その回転の摩擦抵抗が、他の搬送ローラー（１２３）の摩擦抵抗よりも大きい。このため、搬送ローラー（１２３）の上に交換ユニット（２）を載置して、スロットマシン（Ｓ）側に向かって移動させるような場合、スロットマシン（Ｓ）側に配置した回転抵抗増大手段（１８５）を備えた少なくとも一つの搬送ローラー（１２３）に到達するまでは、交換ユニット（２）をスロットマシン（Ｓ）側に向かって、僅かの力でスムーズに早い速度で移動させることができるが、交換ユニット（２）がスロットマシン（Ｓ）側に配置した回転抵抗増大手段（１８５）を備えた搬送ローラー（１２３）に到達すると、回転の摩擦抵抗が大きくなって、それ以前よりも、交換ユニット（２）の移動速度を低下させることができる。これにより、勢いよく、交換ユニット（２）がスロットマシン（Ｓ）の内部に向かって突進して、スロットマシン（Ｓ）の内部の部品に大きな速度で衝突して、スロットマシン（Ｓ）や交換ユニット（２）の一部を破損させるようなことを回避することができる。したがって、交換ユニット（２）の取付作業を安全且つ確実なものにすることができる。
【００３９】
（請求項１０）
請求項１０記載の発明は、上記した請求項５に記載の発明の特徴点に加え、次の点を特徴とする。
すなわち、前記脚部（１３０）及び前記突出部用支持部（１５１）と、前記台部（１２０）との間には、両者の接合角度を変更可能な回転接合手段（１９５）を備えていることを特徴とする。
【００４０】
なお、ここで、「両者の接合角度を変更可能」とは、両者の交差角度を変更することができるものである。具体的には、脚部（１３０）及び突出部用支持部（１５１）は鉛直方向に固定し、台部（１２０）の傾斜角度を変更可能なものや、台部（１２０）の傾斜角度は同一であるが、脚部（１３０）及び突出部用支持部（１５１）の立設する角度を変更可能なものや、台部（１２０）の傾斜角度と、脚部（１３０）及び突出部用支持部（１５１）の立設する角度との両者とも変更可能なものを含むものである。
【００４１】
本発明に係る回転接合手段（１９５）は、具体的には、図１７及び図１８に示すような台部側突出部（１９３）、脚部側円筒部（１９１）及び固定ねじ部材１９２からなる回転接合部材（１９０）を含むものである。
（作用）
脚部（１３０）及び突出部用支持部（１５１）と、台部（１２０）との接合角度を回転接合手段（１９５）により変更することができる。このため、台部（１２０）の傾斜角度を変更したり、脚部（１３０）及び突出部用支持部（１５１）の立設角度を変更することができる。これにより、寸法形状が異なるスロットマシン（Ｓ）の場合や、スロットマシン（Ｓ）を載置する位置形状が異なるよう場合にも、取付用台（１１０）を所定形状に設定することができて、容易に対応することができ、取り回しを容易にすることができる。また、台部（１２０）を傾斜させることができるため、収納性も高めることができる。
【００４２】
（請求項１１）
請求項１１記載の発明は、上記した請求項１乃至１０のいずれか１項に記載の発明の特徴点に加え、次の点を特徴とする。
すなわち、前記脚部（１３０）は、前後方向に伸縮可能な前後伸縮手段（２０５）を備えていることを特徴とする。
【００４３】
本発明に係る前後伸縮手段（２０５）は、具体的には、詳細な説明の第二の実施の形態の前後伸縮部材（２００）を含むものである。そして、この前後伸縮部材（２００）は、伸縮手段（１７０）と同様に、前後内側伸縮部材（２１０）、前後外側円筒部材（２２０）及び前後固定ねじ（２２１）を備えているものである。
（作用）
本発明は、前後伸縮手段（２０５）により、脚部（１３０）を前後方向に伸縮することができる。このため、通常使用する場合、前後伸縮手段（２０５）を前後方向に延ばした状態で使用し、使用しない場合、前後伸縮手段（２０５）を前後方向に縮めた状態にすることができる。これにより、収納スペースを、前後伸縮手段（２０５）を有さずに前後方向に伸縮できないようなものと比較して、小さなものにすることができる。したがって、交換作業に使用しない場合にも、邪魔にならず、収納場所の確保も容易な収納性の高い取付用台（１１０）を提供することができる。
【００４４】
また、脚部（１３０）を前後方向に伸縮することができることにより、スロットマシン（Ｓ）の配置位置や、スロットマシン（Ｓ）を集合させた島の位置形状が、種々、異なる遊技ホールにも、取付用台（１１０）を所定の形状に変化させることができて、対応することが可能となり、取り回しを容易なものにすることができる。
さらに、この前後伸縮手段（２０５）を、台部（１２０）及び脚部（１３０）の間の回転接合手段（１９５）や、脚部（１３０）の上下方向に伸縮できる伸縮手段（１７０）等と組み合わせて使用することにより、台部（１２０）を取り外すことなく、取付用台（１１０）の全体を小さなものにすることができ、より一層の小さな収納スペースで済むことになる。これにより、より一層の収納性を高め、取り回しの容易なものにすることができる。
【００４５】
【発明の実施の形態】
（第一の実施の形態）
（図面の説明）
図１乃至図１６は、本発明の第一の実施の形態を示すものである。
図１は取付用台を用いて交換ユニットの交換作業中の状態の概略側面図、図２は取付用台の外観斜視図、図３は取付用台を用いて交換ユニットの交換作業中の状態の概略斜視図、図４は取付用台を用いて交換ユニットの交換作業中の状態の概略上面図、図５は伸縮手段の外観斜視図、図６は伸縮手段の概略縦断面図、図７（ａ）は取付用台及びスロットマシンの当接直前の状態の概略側面図、図７（ｂ）は取付用台及びスロットマシンの当接状態の概略側面図、図８は本体ガイドレールとガイドレールとを当選する状態の外観斜視図、図９はストッパーを取り付ける状態の概略斜視図、図１０は分離型スロットマシンの分解斜視図、図１１は分離型スロットマシンの本体から前扉を外した状態の分解斜視図、図１２は交換ユニットを取り外した状態の本体キャビネットの外観側面図、１３は分離型スロットマシンの外観側面図、図１４は交換ユニットを取り外した状態の本体キャビネットの外観正面図、図１５はリールユニット、主制御回路基板及び支持体からなる交換ユニットの外観正面図、図１６は交換ユニットの外観側面図、図１７は回転接合手段の縦断面図、図１８は回転接合手段の外観斜視図をそれぞれ示すものである。
【００４６】
本実施の形態に係る取付用台１１０は、スロットマシンＳの内部に設置する部品からなる交換ユニット２を、スロットマシンＳの開口内部１１に取り付ける際、交換ユニット２をスロットマシンＳの開口内部１１に移動させて取り付けるためのものである。
なお、遊技ホール等の床面である基礎面１０７の上に、複数台の同一スロットマシンＳを載置して島を形成するための島固定台１０５が形成されてあり、スロットマシンＳは、かかる島固定台１０５の上に固定されているものである。
【００４７】
本実施の形態に係る取付用台１１０は、交換ユニット２をその上面に載置するための台部１２０と、台部１２０から下方に延びて台部１２０を支持するための脚部１３０と、脚部１３０の下に位置する車輪が回転することにより取付用台１１０の全体を移動させることが可能なキャスター部１４０とを備えている。
そして、台部１２０の上面には、スロットマシンＳに向かって延設されて、交換ユニット２をスライドさせることにより、スロットマシンＳの開口内部１１に案内可能な案内路１２１が形成されている。
【００４８】
ここで、スロットマシンＳは、機種を変更する際、スロットマシンＳの全体を変更するものではなく、リールユニット２２等の一部の部品からなる交換ユニット２を変更することにより遊技内容の変更が可能な分離型のスロットマシンＳからなるものである。
先ず、最初に、本実施の形態に使用する分離型のスロットマシンＳの内容について説明する。
【００４９】
本実施の形態に使用する分離型スロットマシンは、図１０に示すように、大きく分けて、正面側に開口部１１を有する本体キャビネット１、本体キャビネット１内部に着脱自在に設けられる交換ユニット２、本体キャビネット１の開口上部１３を開閉可能に塞ぐ上扉３０、本体キャビネット１の開口下部１４を開閉可能に塞ぐ下扉４０とから構成されている。
【００５０】
（本体キャビネット１）
本体キャビネット１は、底板１５、側板１６、天板及び裏板からなる正面側に開口する筺体であり、高さ方向略中央部には、二つの側板１６の間に水平方向に中板１２が渡してある。そして、この中板１２の下面には電源ユニット４が設けられ、底板１５にはホッパーユニット５が固定されている。
【００５１】
ここで、電源ユニット４は、中板１２の下面に、取り付け板等を介して取り付けられており、電源ユニット４が内装されていると共に、遊技店側が種々の設定を行うためのスイッチ等、店操作部１００を有している。
上記電源ユニット４及びホッパーユニット５は、交換ユニット２の交換に際し、必ずしも交換する必要のないものであり、交換時には設置されたままにしておけるようになっているものである。
【００５２】
また、側板１６の正面左側の下部には、前記下扉４０を係合させ、回転自在に支持するための本体係合部６２が、上下方向に間隔をおいて二つ設けられている。
さらに、本体係合部６２の対向側の側板１６には、下扉４０を閉めた際、下扉４０をロックするための突出片９０（ロック機構７）が、上下方向に間隔をおいて二つ設けられている。
【００５３】
前記中板１２の上面の左右には、それぞれ１本ずつ、交換ユニット２を開口内部１１に案内するための前後方向に長手方向を有する本体ガイドレール１７が形成されている。この本体ガイドレール１７の上面には、交換ユニット２の奥側下部のガイドローラー２６が、その内部を回転移動可能な本体側レール溝１９が形成されている。
【００５４】
（交換ユニット２）
交換ユニット２は、種々の部品を設置あるいは固定するための四角枠状の部材を組み合わせた支持体２１と、この支持体２１に固定されたリールユニット２２及び基板ユニット２４とから形成されている。
ここで、リールユニット２２は、周囲に複数の図柄を表示した複数の回転リール２３と、特に図示しないが、回転リール２３を回転させるための駆動モータを有している。また、前記基板ユニット２４には、遊技及びスロットマシンの作動を制御するための主制御回路基板２５と、各種演出を行うための副制御回路基板が含まれている。
【００５５】
前記支持体２１の正面左側の縦枠には、前記上扉３０を回転自在に係合するための枠体係合部６０が、上下方向に間隔をおいて二つ設けられている。
さらに、枠体係合部６０の対向側の縦枠には、上扉３０を閉めた際、上扉３０をロックするための突出片９０（ロック機構７）が、上下方向に間隔をおいて二つ設けられている。
【００５６】
交換ユニット２は、本体キャビネット１の中板１２の上に乗せ、開口上部１３内部に収納されるものである。そして、固定装置１０により本体キャビネット１に固着される。
前記支持体２１の奥側の下部の左右には、それぞれ１個ずつ、回転可能なガイドローラー２６が形成されている。なお、このガイドローラー２６の幅は、本体ガイドレール１７の本体側レール溝１９と、取付用台１１０のガイドレール１２２の台側レール溝１２６と整合するような寸法形状に設定されている。これにより、交換ユニット２が本体ガイドレール１７の本体側レール溝１９及びガイドレール１２２の台側レール溝１２６の内部を、左右にぶれることなく、回転移動することができるものである。
【００５７】
そして、本体ガイドレール１７の手前側の端面は、中板１２の前端面よりも、僅かにスロットマシンＳの開口内部１１の奥側に向かって引っ込んだ位置に設定されている。そして、図７及び図８に示すように、本体ガイドレール１７の前端面は、手前側から見て、上り傾斜となる、すなわち、上方に向かって臨むような傾斜からなる本体側レール傾斜面１８を形成している。
【００５８】
（上扉３０）
上扉３０は、交換ユニット２の支持体２１に回転自在かつロック可能に形成されている板状の扉であり、略中央部に前記回転リール２３の図柄を正面側から見ることができる図柄表示窓３１を有し、周囲に飾り部３３を設けてある。そして、種々の表示を行うための表示装置３２が設けられているものである。
【００５９】
ここで、前記飾り部３３は、ランプ等により形成しても良く、入賞の報知その他の演出時にランプが点滅するようにしてもよい。また、前記表示装置３２は、７セグメントＬＥＤ等により数字を表示するものや、特に図示しないが、画像を表示するための液晶画面あるいはＣＲＴなどとしてもよい。
さらに、図１１に示すように、上扉３０の裏面には、前記枠体係合部６０に係合可能な上扉係合部６１が上下方向に間隔をおいて二つ設けられており、上扉係合部６１の対向側には、ロック機構７が設けられている。
【００６０】
（下扉４０）
下扉４０は、本体キャビネット１の開口下部１４を塞ぐための、上扉３０よりも幅厚の扉であり、本体キャビネット１の側板１６に回転自在かつロック可能に形成されているものである。
下扉４０の上部は、分離型スロットマシンＳを作動させるための操作部４１となっており、下扉４０の上面は、閉扉時においては、上扉３０よりも前側に突出するようになっている。また、下部には払い出されたメダルを溜めておくためのメダル受け４３が形成されており、下扉４０の略中央部には、遊技内容その他の表示をするための前パネル５０が嵌め込まれている。
【００６１】
前記操作部４１としては、下扉４０の上面右端にはメダル投入口４２及び上面左側に設けられたベットスイッチ、正面側にはスタートスイッチ及びストップスイッチ及び鍵穴４４が設けられている。なお、ベットスイッチとは、貯留メダルをメダル投入に代えるためのものであり、スタートスイッチ及びストップスイッチは、回転リール２３の回転を開始及び停止させるためのものである。また、鍵穴４４は、前扉３を解錠するためのものであり、この穴に所定の鍵を差し込んで回すと、下扉４０のロックが解除されるものである。
【００６２】
さらに、図１１に示すように、下扉４０の裏面側には、前記メダル投入口４２から投入されたメダルを誘導しながらメダルの正偽を判断するためのメダルセレクター４８が設けられている。そして、下扉４０の裏面下部の左右には、種々の音声を出力するためのスピーカ４９が設けられている。
また、下扉４０の裏面には、前記本体係合部６２と係合可能な下扉係合部６３が上下方向に間隔をおいて二つ設けられており、下扉係合部６３の対向側には、ロック機構７が設けられている。
【００６３】
（固定装置１０）
当該分離型スロットマシンＳは、その内部に交換ユニット２を固定するための固定装置１０を備えている。
上記固定装置１０は、図１０に示すように、交換ユニット２の両側面を固定するためのものである。さらに、上記固定装置１０は、交換ユニット２の左右側面と、本体キャビネット１の内部両側面との間に設けられているものであって、交換ユニット２の左右両側面を本体キャビネット１に固定するためのものである。
【００６４】
なお、交換ユニット２の支持体２１の左右に固定されているフック部１３０と、本体キャビネット１の内部の左右側面に固定されている固定装置１０とにより、交換ユニット２を固定するためのロック手段を形成するものである。
前記フック部１３０は、交換ユニット２の支持体２１の前面側の左右の縦枠にそれぞれ固定されている。そして、このフック部１３０は、背面側に向かって横断面形状が鉤状に延びる金属薄板細片からなるものである。
【００６５】
前記固定装置１０は、図１４に示すように、本体キャビネット１の左右の側板１６の内側にそれぞれ固定されて、前記フック部１３０の先端を引っかけて固定可能なものである。
次に、本実施の形態に係る取付用台１１０について説明する。
（台部１２０）
上記台部１２０は、交換ユニット２を上面に載置するためのものである。
【００６６】
上記台部１２０は、全体形状がスロットマシン側に向かって狭くなった略台形状の平板から形成されている。そして、この台部１２０の上面には、スロットマシンＳに向かって延設されて、交換ユニット２をスライドさせることにより、スロットマシンＳの開口内部に案内可能な案内路１２１が形成されている。この案内路１２１は、台部１２０の全体を傾斜させることにより、スロットマシンＳの開口内部１１に向かって下り傾斜となるように形成されている。そして、この案内路１２１は、台部１２０の上面に、交換ユニット２を送り出す方向に向かって平行に渡された二本のガイドレール１２２からなるものである。このガイドレール１２２の上面には、交換ユニット２のガイドローラー２６の幅と整合する寸法形状の凹状の台側レール溝１２６が、その長手方向に沿って形成されている。そして、ガイドレール１２２の前端面は、台部１２０の突出部１５０の先端面よりも僅かにスロットマシンＳの開口内部１１側に向かって突出するように設定されている。そして、ガイドレール１２２の前端面は、下方に臨むような傾斜からなる台側レール傾斜面１２５を形成している。この台側レール傾斜面１２５に本体側レール傾斜面１８が当接した状態で、取付用台１１０を使用するものである。そして、この台側レール傾斜面１２５の傾斜と、本体側レール傾斜面１８の傾斜とは、互いに当接した際、隙間無く当接することができるように同一傾斜角度に形成されている。これにより、両者の当選箇所の上面を、交換ユニット２がスムーズに移動することが可能となるものである。
【００６７】
（脚部１３０）
上記脚部１３０は、台部１２０から下方に延びて台部１２０を支持するためのものである。具体的には、脚部１３０は、台形状の台部１２０の略４隅から下方に向かって合計４本、形成されているものである。この脚部１３０は、台部１２０の交換ユニット２を送り出す方向に向かって、右側を支持するための２本の右側脚部１３１と、台部１２０の交換ユニット２を送り出す方向に向かって、左側を支持するための２本の左側脚部１３２とを備えている。そして、右側脚部１３１と、左側脚部１３２との間には、前後方向に連通する連通空間部１３３を形成している。
【００６８】
上記脚部１３０は、上下方向に伸縮可能な伸縮手段１７０を備えている。この伸縮手段１７０は、台部１２０の下面に接合されて下方に延設された円柱棒状の内側伸縮部材１７１と、この内側伸縮部材１７１を内部にはめ込んで、内側伸縮部材１７１を上下方向に摺動可能な円筒状の外側円筒部材１７２とを備えている。
さらに、前記伸縮手段１７０は、外側円筒部材１７２の高さ方向の途中に位置して、側方に向かって開口し、内面にねじが切られている固定ねじ孔１７４と、この固定ねじ孔１７４にねじ込み可能であって、内側伸縮部材１７１の移動を抑えて、伸縮手段１７０の伸縮を固定させることが可能な固定ねじ１７３とを備えている。
【００６９】
上記脚部１３０及び突出部用支持部１５１と、台部１２０との間の接合部には、図１７及び図１８に示すように、両者の接合角度を変更可能な回転接合手段１９５を備えている。この回転接合手段１９５は、台部１２０と脚部１３０との接合位置にあって、回転可能な回転接合部材１９０からなるものである。この回転接合部材１９０は、台部１２０の下面から下方に突出するとともに、内部に横方向に貫通する貫通孔１９４を有する台部側突出部１９３と、脚部１３０の上部から側方に突出するとともに、前記台部側突出部１９３の貫通孔１９４にはまりこむ円筒状の脚部側円筒部１９１と、前記台部側突出部１９３の脚部側円筒部１９１がはまりこまれた反対側から差し込まれる固定ねじ部材１９２とを備えている。そして、脚部側円筒部１９１の円筒内部はねじ切りが施されてあり、固定ねじ部材１９２がねじ込み可能となっているものである。すなわち、固定ねじ部材１９２のねじ込みをゆるめることにより、台部側突出部１９３の貫通孔１９４の内部を、脚部１３０の脚部側円筒部１９１が自由に回転可能に形成されているものである。そして、固定ねじ部材１９２のねじ込みを締めることにより、固定ねじ部材１９２と脚部側円筒部１９１との間に台部側突出部１９３が挟み込まれて摩擦力により、当該回転角度の位置を保った状態で固定可能なものである。
【００７０】
これにより、台部１２０をスロットマシンＳに向かって所定の角度に下り傾斜させた際も、脚部１３０を鉛直方向に維持することができる。また、脚部１３０の立設角度を変更することができる。これにより、寸法形状が異なるスロットマシンＳの場合や、スロットマシンＳを載置する位置形状が種々、異なるよう場合にも、取付用台１１０を所定形状に設定することができ、容易に対応することができ、取付用台１１０の取り回しを容易なものにすることができる。
【００７１】
（キャスター部１４０）
上記キャスター部１４０は、脚部１３０の下に位置する車輪が回転することにより取付用台１１０の全体を基礎面１０７の上で移動させることが可能なものである。なお、特に図示していないが、キャスター部１４０の車輪の回転を停止可能なロック手段を設けても良いものである。
【００７２】
（突出部１５０）
上記突出部１５０は、案内路１２１及び台部１２０を、スロットマシンＳの開口内部１１に向かって突出させている箇所である。この突出部１５０を介して、交換ユニット２をスロットマシンＳの開口内部１１に移動させるものである。
上記突出部１５０には、その突出部１５０からスロットマシンＳを載置している島固定台１０５まで下方に延びて、突出部１５０を支持するための突出部用支持部１５１が形成されている。
【００７３】
この突出部用支持部１５１は、突出部１５０のスロットマシンＳ側に臨む先端面の左右から下方に向かって合計２本、形成されているものである。そして、突出部用支持部１５１は、脚部１３０と同様に上下方向に伸縮可能な伸縮手段１７０を備えている。なお、台部１２０と突出部用支持部１５１との接合部は、台部１２０をスロットマシンＳに向かって下り傾斜させた際も、突出部用支持部１５１が鉛直方向を維持することができるようにするために、回転可能な接合部材により回動可能に接合されている。そして、突出部用支持部１５１の伸縮手段１７０は、台部１２０の突出部１５０の先端左右の下面に接合されて下方に延設された円柱棒状の支持内側伸縮部材１５２と、この支持内側伸縮部材１５２を内部にはめ込んで、上下方向に摺動可能な円筒状の支持外側円筒部材１５３とを備えている。
【００７４】
さらに、前記伸縮手段１７０は、脚部１３０で説明したものと同一であって、支持外側円筒部材１５３の高さ方向の途中に位置して、側方に向かって開口し、内面にねじが切られている固定ねじ孔１７４と、この固定ねじ孔１７４にねじ込み可能であって、支持内側伸縮部材１５２の移動を抑えて、伸縮手段１７０の伸縮を固定させることが可能な固定ねじ１７３とを備えている。
【００７５】
なお、この突出部用支持部１５１の下端には、脚部１３０と同様に、車輪を有するキャスター部１４０が形成されている。この突出部用支持部１５１のキャスター部１４０により、島固定台１０５の上面を損傷することを抑えることができ、また、損傷させることなく回転移動できるため、取付用台１１０の取付位置の微調整も容易なものにすることができるものである。
【００７６】
（連通空間部１３３）
上記連通空間部１３３は、右側脚部１３１と、左側脚部１３２との間に位置して、前後方向に連通するものである。これは、スロットマシンＳの島固定台１０５の前面付近の基礎面１０７に遊技者が遊技の際、使用するための椅子が固定されていても、取付用台１１０を、かかる椅子を上から跨ぐような状態で、載置することができるように形成したものである。そして、かかる前後方向に連通する連通空間部１３３を形成したことにより、スロットマシンＳの前に設けた椅子等の障害物を連通空間部１３３の内部に通すことが可能となる。交換作業の際、取付用台１１０をスロットマシンＳの前面側に当接するまで、接近させることが必要となるが、椅子等の障害物を上から跨ぐような状態で取付用台１１０を移動することが可能となるため、椅子等の障害物に影響されることなく、交換ユニット２の交換作業において、取付用台１１０の移動を自由なものにすることができる。
【００７７】
（ストッパー１６０）
上記ストッパー１６０は、案内路１２１の途中に位置して、台部１２０の上面から上方に向かって突出して案内路１２１に沿って交換ユニット２の移動を阻止するための着脱可能なものである。上記ストッパー１６０は、図９に示すように、断面形状が略Ｌ時状のＬ字状の金属部材からなるものである。そして、ストッパー１６０の左右の下面には、下方に向かってそれぞれ突出する２本の固定突部１６１が形成されている。この固定突部１６１を、台部１２０の上面に設けられたストッパー固定孔１２４に差し込むことにより、ストッパー１６０を台部１２０の上面に固定することができるものである。なお、ストッパー１６０を取り外す際には、固定突部１６１をストッパー固定孔１２４から引き抜くことにより、簡単に取り外すことができる。
【００７８】
このように、案内路１２１の途中に着脱自在なストッパー１６０を設けたことにより、下り傾斜の案内路１２１の上に載置した交換ユニット２が誤って移動して滑り落ちることを防止することができる。
（第二の実施の形態）
図１９は、本発明の第二の実施の形態であって、取付用台の通常状態及び収納状態の外観側面図を示すものである。
【００７９】
本実施の形態は、第一の実施の形態に係る取付用台１１０を、前後方向に伸縮可能にしたものである。具体的には、取付用台１１０の脚部１３０は、前後方向に伸縮可能な前後伸縮手段２０５を備えている。この前後伸縮手段２０５は、スロットマシンＳに最も近接する前側に鉛直方向に立設する外側円筒部材１７２と、スロットマシンＳから最も離れた後側に鉛直方向に立設する外側円筒部材１７２との間に横方向に渡された前後伸縮部材２００からなるものである。この前後伸縮部材２００は、右側脚部１３１及び左側脚部１３２のそれぞれにおいて、上下に二本形成され、合計全部で４本、前後方向に渡されているものである。この前後伸縮部材２００は、既に説明した上下方向の伸縮手段１７０と同様に形成されているものである。具体的には、前後伸縮部材２００は、前側、すなわちスロットマシンＳ側に最も近接する外側円筒部材１７２の上部と下部との２箇所に接合されて、後側の水平方向に延設された円柱棒状の前後内側伸縮部材２１０と、この前後内側伸縮部材２１０を内部にはめ込んで、前後内側伸縮部材２１０を前後方向に摺動可能な円筒状の前後外側円筒部材２２０とを備えている。さらに、前後伸縮部材２００は、前後外側円筒部材２２０の横方向の途中に位置して、側方に向かって開口し、内面にねじが切られている前後固定ねじ孔（図示せず）と、この前後固定ねじ孔にねじ込み可能であって、前後内側伸縮部材２１０の前後方向の移動を抑えて、前後伸縮部材２００の前後方向の伸縮を固定させることが可能な前後固定ねじ２２１とを備えている。なお、その他の構成は、第一の実施の形態と同様であるため、説明を省略する。
【００８０】
本実施の形態は、前後伸縮手段２０５により、脚部１３０を前後方向に伸縮することができる。このため、通常使用する場合、図１９の上側に記載したように、前後伸縮手段２０５を前後方向に延ばした状態で使用し、使用しない場合、図１９の下側に記載したように、前後伸縮手段２０５を前後方向に縮めた状態にすることができる。その際、この前後伸縮手段２０５を、台部１２０及び脚部１３０の間の回転接合手段１９５や、脚部１３０の上下方向に伸縮できる伸縮手段１７０等と組み合わせて使用することにより、台部１２０を取り外すことなく、取付用台１１０の全体を小さなものにすることができ、より一層の小さな収納スペースで済むことになる。これにより、収納スペースを、前後伸縮手段２０５を有さずに前後方向に伸縮できないようなものと比較して、小さなものにすることができ、収納性を高めることができる。したがって、交換作業に使用しない場合にも、邪魔にならず、収納場所の確保も容易な取付用台１１０を提供することができる。
【００８１】
そして、脚部１３０を前後方向に伸縮することができることにより、スロットマシンＳの配置位置や、スロットマシンＳを集合させた島の位置形状が、種々、異なる遊技ホールにも、取付用台１１０を所定の形状に変化させることができて、対応することができ、取付用台１１０の取り回しを容易なものにすることができる。（第三の実施の形態）
図２０及び図２１は、本発明の第三の実施の形態であって、図２０は取付用台の外観斜視図、図２１（ａ）は取付用台及びスロットマシンの当接直前の状態の概略側面図、図２１（ｂ）は取付用台及びスロットマシンの当接状態の概略側面図をそれぞれ示すものである。
【００８２】
本実施の形態は、第一の実施の形態で説明した取付用台１１０の台部１２０に設けた案内路１２１が、台部１２０の上面に、交換ユニット２を送り出す方向に向かって直角方向に平行に渡された複数の回転可能な搬送ローラー１２３からなることを特徴とするものである。すなわち、交換ユニット２は、台部１２０の上に載置されると、かかる搬送ローラー１２３の回転によって、摩擦抵抗を抑えた状態で、移動させることが可能となるものである。その他の構成は、第一の実施の形態と同様であるため、説明を省略する。
【００８３】
本実施の形態は、台部１２０の上面に、交換ユニット２を送り出す方向に向かって直角方向に平行に渡された複数の搬送ローラー１２３の回転に沿って、交換ユニット２をスライドさせることにより、交換ユニット２をスロットマシンＳの開口内部に案内することができる。そして、この搬送ローラー１２３は、交換ユニット２を送り出す方向に向かって直角方向に平行に渡された複数からなり、回転可能であるため、交換ユニット２と搬送ローラー１２３との間の摩擦抵抗を抑えることができ、僅かな力でスムーズに交換ユニット２をスロットマシンＳの開口内部に搬送することができる。
【００８４】
（第四の実施の形態）
図２２及び図２３は、本発明の第四の実施の形態であって、図２２は搬送ローラーに回転抵抗増大手段を取り付けた状態の概略模式図、図２３は（ａ）は回転抵抗増大手段を有する搬送ローラーの取付用台及びスロットマシンの当接直前の状態の概略側面図、図２３（ｂ）は回転抵抗増大手段を有する搬送ローラーの取付用台及びスロットマシンの当接状態の概略側面図をそれぞれ示すものである。
【００８５】
本実施の形態は、第三の実施の形態で説明した搬送ローラー１２３のうち、前記スロットマシンＳ側に配置される少なくとも一つは、その回転の摩擦抵抗が、他の前記搬送ローラー１２３の摩擦抵抗よりも大きくなるような回転抵抗増大手段１８５を備えたことを特徴とする。具他的には、図２３に示すように、回転抵抗増大手段１８５は、スロットマシンＳ側の２個の搬送ローラー１２３に取り付けられている。
【００８６】
上記回転抵抗増大手段１８５は、搬送ローラー１２３の回転軸１８６を上下から挟み込む扇状の押圧片１８１と、この押圧片１８１を搬送ローラー１２３の回転軸１８６に向かって付勢力により押し込むばね１８０とからなるものである。すなわち、ばね１８０の元に戻ろうとする弾性力により押圧片１８１を搬送ローラー１２３の回転軸１８６に向かって押圧し、かかる押圧片１８１と回転軸１８６との表面の摩擦力を増大させて、搬送ローラー１２３の回転抵抗を増加させているものである。これにより、回転抵抗増大手段１８５を有していない搬送ローラー１２３と比較して、回転抵抗増大手段１８５を有している搬送ローラー１２３は、より大きな力を加えないと回転しない。
【００８７】
本実施の形態は、搬送ローラー１２３のうち、スロットマシンＳ側に配置される２個の搬送ローラー１２３は、回転抵抗増大手段１８５により、回転軸１８６と押圧片１８１との間の表面摩擦抵抗力が、回転抵抗増大手段１８５を有していない搬送ローラー１２３の摩擦抵抗よりも大きい。このため、搬送ローラー１２３の上に交換ユニット２を載置して、スロットマシンＳ側に向かって移動させるような場合、スロットマシンＳ側に配置した回転抵抗増大手段１８５を備えた２個の搬送ローラー１２３に到達するまでは、交換ユニット２をスロットマシンＳ側に向かって、僅かの力でスムーズに早い速度で移動させることができるが、交換ユニット２がスロットマシンＳ側に配置した回転抵抗増大手段１８５を備えた２個の搬送ローラー１２３に到達すると、回転の摩擦抵抗が大きくなって、それ以前よりも、交換ユニット２の移動速度を低下させることができる。これにより、勢いよく、交換ユニット２がスロットマシンＳの内部に向かって突進して、スロットマシンＳの内部の部品に大きな速度で衝突して、スロットマシンＳや交換ユニット２の一部を破損させるようなことを回避することができる。したがって、交換ユニット２の取付作業を安全且つ確実なものにすることができる。
【００８８】
なお、回転抵抗増大手段１８５は、上述した押圧片１８１とばね１８０とにより形成されているが、特にこれに限定されるものではなく、搬送ローラー１２３の回転抵抗を増大させることができるようなものであれば、他のものでも良いものである。例えば、ばね１８０を使用せずに、ゴムパットだけで回転軸１８６を包み込んで、摩擦抵抗を増加させるようなものでも良いものである。また、粘性の高いオイルを使用した特別なベアリングを搬送ローラー１２３の回転軸１８６に装着することにより、他の搬送ローラー１２３よりも回転抵抗を増加させるようにしても良いものである。
【００８９】
【発明の効果】
本発明は、以上のように構成されているので、以下に記載されるような効果を奏する。
（請求項１）
請求項１記載の発明によれば、次のような効果を奏する。
【００９０】
すなわち、請求項１記載の発明によれば、交換ユニットの交換作業の負担を減少させ、交換作業を容易なものにすることができるようにした取付用台を提供することができる。
（請求項２）
請求項２記載の発明によれば、上記した請求項１記載の発明の効果に加え、次のような効果を奏する。
【００９１】
すなわち、請求項２記載の発明によれば、交換ユニットを取り付ける際、僅かな力で交換ユニットを移動させることができて、交換ユニットの取付作業を容易なものにすることができるようにした取付用台を提供することができる。
（請求項３）
請求項３記載の発明によれば、上記した請求項１又は請求項２記載の発明の効果に加え、次のような効果を奏する。
【００９２】
すなわち、請求項３記載の発明によれば、交換ユニットをガイドレールの上面に安定した状態でスライドさせることができるようにした取付用台を提供することができる。
（請求項４）
請求項４記載の発明によれば、上記した請求項１又は請求項２に記載の発明の効果に加え、次のような効果を奏する。
【００９３】
すなわち、請求項４記載の発明によれば、摩擦抵抗を抑えることができて、僅かな力でスムーズに交換ユニットを取付用台とスロットマシンの開口内部との間で搬送することができるようにした取付用台を提供することができる。
（請求項５）
請求項５記載の発明によれば、上記した請求項１乃至４のいずれか１項に記載の発明の効果に加え、次のような効果を奏する。
【００９４】
すなわち、請求項５記載の発明によれば、スロットマシンの開口内部にまで連続して交換ユニットをスライドさせることができるとともに、突出部の変形を抑え、安定した状態で、交換ユニットをスライドさせることができるようにした取付用台を提供することができる。
（請求項６）
請求項６記載の発明によれば、上記した請求項５に記載の発明の効果に加え、次のような効果を奏する。
【００９５】
すなわち、請求項６記載の発明によれば、交換ユニットの取付位置が上下方向に異なる場合にも対応することができるようにした取付用台を提供することができる。
（請求項７）
請求項７記載の発明によれば、上記した請求項１乃至６のいずれか１項に記載の発明の効果に加え、次のような効果を奏する。
【００９６】
すなわち、請求項７記載の発明によれば、椅子等の障害物に影響されることなく、取付用台の移動を自由なものにすることができるようにした取付用台を提供することができる。
（請求項８）
請求項８記載の発明によれば、上記した請求項２に記載の発明の効果に加え、次のような効果を奏する。
【００９７】
すなわち、請求項８記載の発明によれば、下り傾斜の案内路の上に載置した交換ユニットが誤って移動して滑り落ちることを防止することができるようにした取付用台を提供することができる。
（請求項９）
請求項９記載の発明によれば、上記した請求項４に記載の発明の効果に加え、次のような効果を奏する。
【００９８】
すなわち、請求項９記載の発明によれば、交換ユニットの移動速度をスロットマシンＳ側で低下させることができ、交換ユニットの取付作業を安全且つ確実なものにすることができるようにした取付用台を提供することができる。
（請求項１０）
請求項１０記載の発明によれば、上記した請求項５に記載の発明の効果に加え、次のような効果を奏する。
【００９９】
すなわち、請求項１０記載の発明によれば、取り回しを容易にし、収納性を高めることができるようにした取付用台を提供することができる。
（請求項１１）
請求項１１記載の発明によれば、上記した請求項１乃至１０のいずれか１項に記載の発明の効果に加え、次のような効果を奏する。
【０１００】
すなわち、請求項１１記載の発明によれば、取り回しを容易にし、収納性を高めることができるようにした取付用台を提供することができる。
【図面の簡単な説明】
【図１】本発明の第一の実施の形態であって、取付用台を用いて交換ユニットの交換作業中の状態を示す概略側面図である。
【図２】本発明の第一の実施の形態であって、取付用台を示す外観斜視図である。
【図３】本発明の第一の実施の形態であって、取付用台を用いて交換ユニットの交換作業中の状態を示す概略斜視図である。
【図４】本発明の第一の実施の形態であって、取付用台を用いて交換ユニットの交換作業中の状態を示す概略上面図である。
【図５】本発明の第一の実施の形態であって、伸縮手段を示す外観斜視図である。
【図６】本発明の第一の実施の形態であって、伸縮手段を示す概略縦断面図である。
【図７】本発明の第一の実施の形態であって、（ａ）は取付用台及びスロットマシンの当接直前の状態を示す概略側面図、（ｂ）は取付用台及びスロットマシンの当接状態を示す概略側面図である。
【図８】本発明の第一の実施の形態であって、本体ガイドレールとガイドレールとを当選する状態を示す外観斜視図である。
【図９】本発明の第一の実施の形態であって、ストッパーを取り付ける状態を示す概略斜視図である。
【図１０】本発明の第一の実施の形態であって、分離型スロットマシンを示す分解斜視図である。
【図１１】本発明の第一の実施の形態であって、分離型スロットマシンの本体から前扉を外した状態を示す分解斜視図である。
【図１２】本発明の第一の実施の形態であって、交換ユニットを取り外した状態を示す本体キャビネットの外観側面図である。
【図１３】本発明の第一の実施の形態であって、分離型スロットマシンを示す外観側面図である。
【図１４】本発明の第一の実施の形態であって、交換ユニットを取り外した状態を示す本体キャビネットの外観正面図である。
【図１５】本発明の第一の実施の形態であって、リールユニット、主制御回路基板及び支持体からなる交換ユニットを示す外観正面図である。
【図１６】本発明の第一の実施の形態であって、交換ユニットを示す外観側面図である。
【図１７】本発明の第一の実施の形態であって、回転接合手段を示す縦断面図である。
【図１８】本発明の第一の実施の形態であって、回転接合手段を示す外観斜視図である。
【図１９】本発明の第二の実施の形態であって、取付用台の通常状態及び収納状態を示す外観側面図である。
【図２０】本発明の第三の実施の形態であって、取付用台を示す外観斜視図である。
【図２１】本発明の第三の実施の形態であって、（ａ）は取付用台及びスロットマシンの当接直前の状態を示す概略側面図、（ｂ）は取付用台及びスロットマシンの当接状態を示す概略側面図である。
【図２２】本発明の第四の実施の形態であって、搬送ローラーに回転抵抗増大手段を取り付けた状態を示す概略模式図である。
【図２３】本発明の第四の実施の形態であって、（ａ）は回転抵抗増大手段を有する搬送ローラーの取付用台及びスロットマシンの当接直前の状態を示す概略側面図、（ｂ）は回転抵抗増大手段を有する搬送ローラーの取付用台及びスロットマシンの当接状態を示す概略側面図である。
【符号の説明】
Ｓ　スロットマシン　　　　　　　　　１　　本体キャビネット
２　　交換ユニット　　　　　　　　　　　３　前扉
４　　電源ユニット　　　　　　　　　　　　　５　ホッパーユニット
６　　係合部　　　　　　　　　　　　　　　　７　ロック機構
１０　固定装置　　　　　　　　　　　　１１　開口内部
１２　中板　　　　　　　　　　　　　　１３　開口上部
１４　開口下部　　　　　　　　　　　　１５　底板
１６　側板　　　　　　　　　　　　　　１７　本体ガイドレール
１８　本体側レール傾斜面　　　　　　　１９　本体側レール溝
２１　支持体　　　　　　　　　　　　　２２　リールユニット
２３　回転リール　　　　　　　　　　　２４　基板ユニット
２５　主制御回路基板　　　　　　　　　２６　ガイドローラー
３０　上扉　　　　　　　　　　　　　　３１　表示窓
３２　表示装置　　　　　　　　　　　　３３　飾り部
４０　下扉　　　　　　　　　　　　　　４１　操作部
４２　メダル投入口　　　　　　　　　　４３　メダル受け
４４　鍵穴　　　　　　　　　　　　　　４８　メダルセレクター
４９　スピーカ　　　　　　　　　　　　５０　前パネル
６０　枠体係合部　　　　　　　　　　　６１　上扉係合部
６２　本体係合部　　　　　　　　　　　６３　下扉係合部
９０　突出片　　　　　　　　　　　　　　　１００　店操作部
１０５　　島固定台　　　　　　　　　　　１０７　　基礎面
１１０　　取付用台　　　　　　　　　　　１２０　　台部
１２１　　案内路　　　　　　　　　　　　１２２　　ガイドレール
１２３　　搬送ローラー　　　　　　　　　１２４　　ストッパー固定孔
１２５　　台側レール傾斜面　　　　　　　１２６　　台側レール溝
１３０　　脚部　　　　　　　　　　　　　１３１　　右側脚部
１３２　　左側脚部　　　　　　　　　　　１３３　　連通空間部
１４０　　キャスター部　　　　　　　　　１５０　　突出部
１５１　　突出部用支持部　　　　　　　　１５２　　支持内側伸縮部材
１５３　　支持外側円筒部材　　　　　　　１５４　　支持キャスター部
１６０　　ストッパー　　　　　　　　　　１６１　　固定突部
１７０　　伸縮手段　　　　　　　　　　　１７１　　内側伸縮部材
１７２　　外側円筒部材　　　　　　　　　１７３　　固定ねじ
１７４　　固定ねじ孔　　　　　　　　　　１８０　　ばね
１８１　　押圧片　　　　　　　　　　　　１８５　　回転抵抗増大手段
１８６　　回転軸　　　　　　　　　　　　１９０　　回転接合部材
１９１　　脚部側円筒部　　　　　　　　　１９２　　固定ねじ部材
１９３　　台部側突出部　　　　　　　　　１９４　　貫通孔
１９５　　回転接合手段　　　　　　　　　２００　　前後伸縮部材
２０５　　前後伸縮手段　　　　　　　　　２１０　　前後内側伸縮部材
２２０　　前後外側円筒部材　　　　　　　２２１　　前後固定ねじ
【図１】
2004025338.tif 000003
【図２】
2004025338.tif 000004
【図３】
2004025338.tif 000005
【図４】
2004025338.tif 000006
【図５】
2004025338.tif 000007
【図６】
2004025338.tif 000008
【図７】
2004025338.tif 000009
【図８】
2004025338.tif 000010
【図９】
2004025338.tif 000011
【図１０】
2004025338.tif 000012
【図１１】
2004025338.tif 000013
【図１２】
2004025338.tif 000014
【図１３】
2004025338.tif 000015
【図１４】
2004025338.tif 000016
【図１５】
2004025338.tif 000017
【図１６】
2004025338.tif 000018
【図１７】
2004025338.tif 000019
【図１８】
2004025338.tif 000020
【図１９】
2004025338.tif 000021
【図２０】
2004025338.tif 000022
【図２１】
2004025338.tif 000023
【図２２】
2004025338.tif 000024
【図２３】
2004025338.tif 000025